【事件の表示】
　特願２０１６−１６５５９５号「遊技機」拒絶査定不服審判事件〔平成３０年　３月　１日出願公開、特開２０１８−　２９８７３号〕について、次のとおり審決する。
【結　論】
　本件審判の請求は、成り立たない。
【理　由】
１　手続の経緯
　本願は、平成２８年８月２６日の出願であって、平成２９年８月３１日付けで拒絶の理由が通知され、これに対して、同年１０月３０日に意見書及び手続補正書が提出され、平成３０年３月２０日付けで拒絶の理由が通知され、これに対して、同年５月２２日に意見書及び手続補正書が提出されたところ、同年１０月３０日付け（送達日：同年１１月６日）で拒絶査定がなされ、これに対して、平成３１年１月２１日に拒絶査定不服審判の請求がなされると同時に手続補正書が提出され、その後、当審において、令和１年６月２４日付けで拒絶の理由（以下、「当審拒絶理由」という。）が通知され、これに対して、同年８月８日に意見書及び手続補正書（以下、この手続補正書による補正を「本件補正」という。）が提出されたものである。
２　本願発明
　本願の請求項１に係る発明（以下、「本願発明」という。）は、本件補正後の特許請求の範囲の請求項１に記載された事項により特定される次のとおりのものである（なお、記号ＡないしＬは、本願発明を分説するために当審で付した）。
「Ａ　本体枠と、
　Ｂ　遊技者の操作により打ち込まれる遊技媒体を進入させる遊技領域を設けてなる遊技盤と、
　Ｃ　前記本体枠に対しその前側にて開閉可能となっている前扉と、
　Ｄ　遊技媒体を貯留し得るように前記前扉の下部の左右方向中間部位から前方に膨出する皿部材と、
　Ｅ　前記前扉の前記下部の右側部位から前方へ延出するハンドル部材と、
　Ｆ　前記前扉の左側部に前方へ膨出するように設けてなる左側電飾部材と、
　Ｇ　前記前扉の右側部に前方へ膨出するように設けてなる右側電飾部材と、
　Ｈ　前記皿部材を電飾により装飾する皿電飾手段と、
　Ｉ　遊技媒体の入賞に伴い大当たり抽選の結果が大当たりであるとき、大当たり電飾態様を表す大当たり電飾演出を行うように処理する大当たり電飾演出処理手段と、
　Ｊ　前記大当たり抽選の結果が外れであるとき行われる外れ演出処理の終了後、所定の客待ち時間の経過に伴い客待ちモード電飾演出を行うように処理する客待ちモード電飾演出処理手段と、
　Ｋ　制御手段とを備えており、
　Ｅ−１　前記ハンドル部材は、その延出先端部にて、前記左側電飾部材の膨出先端部位よりも前方へ延出し、
　Ｇ−１　前記右側電飾部材は、その膨出先端部位にて、前記ハンドル部材の延出先端部よりも前方へ膨出し、かつ、
　Ｄ−１　前記皿部材は、その膨出先端部位にて、前記右側電飾部材
の膨出先端部位よりも前方へ膨出しており、
　Ｋ−１　前記制御手段は、
　前記大当たり電飾演出処理手段による前記大当たり電飾演出の処理に基づき、前記大当たり電飾演出を行うように前記左側電飾部材、前記右側電飾部材及び前記皿電飾手段のうちの少なくとも１つを制御し、
　Ｋ−２　また、前記客待ちモード電飾演出処理手段による前記客待ちモード電飾演出の処理に基づき、既に大当たりが成立しているかのように錯覚を起こす程に前記大当たり電飾態様における大当たり点滅態様に類似した点滅態様による電飾演出を、新たな客の誘導が可能となるように、行うべく、前記左側電飾部材、前記右側電飾部材及び前記皿電飾手段のうちの少なくとも１つを制御するようにした
　Ｌ　遊技機。」
３　拒絶の理由
　当審拒絶理由は、平成３１年１月２１日に提出された手続補正書により補正がされた請求項１に係る発明は、本願の出願前に日本国内又は外国において、頒布された又は電気通信回線を通じて公衆に利用可能となった、引用文献１に記載された発明及び引用文献２に示された技術的事項に基づいて、その出願前にその発明の属する技術の分野における通常の知識を有する者が容易に発明をすることができたものであるから、特許法第２９条第２項の規定により特許を受けることができない、という拒絶理由を含むものである。
引用文献１：特開２０１５−２２３４０５号公報
引用文献２：特許第５９５７５８５号
４　引用文献の記載及び引用発明
（１）当審拒絶理由に引用され、本願の出願前に電気通信回線を通じて公衆に利用可能となった特開２０１５−２２３４０５号公報（以下、同じく「引用文献１」という。）には、「遊技機」の発明に関し、図面と共に次の事項が記載されている（下線は当審で付した）。 
ア　「【技術分野】
【０００１】
　本発明は、ぱちんこ遊技機（一般的に「パチンコ機」とも称する）や回胴式遊技機（一般的に「パチスロ機」とも称する）等の遊技機に関するものである。」
イ　「【発明を実施するための形態】
【００８８】
［１．パチンコ機の全体構造］
　本発明の一実施形態である
パチンコ機１
【００８９】
　本実施形態のパチンコ機１は、遊技ホールの島設備（図示しない）に設置される枠状の外枠２と、外枠２の前面を開閉可能に閉鎖する
扉枠３と
本体枠４と
遊技者によって遊技球が打込まれる遊技領域５ａを有した遊技盤５と
を備え
【００９０】
　パチンコ機１の外枠２は、図８及び図９等に示すように、上下に離間しており左右に延びている上枠部材１０及び下枠部材２０と、上枠部材１０及び下枠部材２０の両端同士を連結しており上下に延びている左枠部材３０及び右枠部材４０と、を備えている。上枠部材１０、下枠部材２０、左枠部材３０、及び右枠部材４０は、前後の幅が同じ幅に形成されている。また、上枠部材１０及び下枠部材２０の左右の長さに対して、左枠部材３０及び右枠部材４０の上下の長さが、長く形成されている。
【００９１】
　また、外枠２は、左枠部材３０及び右枠部材４０の下端同士を連結し下枠部材２０の前側に取付けられる幕板部材５０と、上枠部材１０の正面視左端部側に取付けられている外枠側上ヒンジ部材６０と、幕板部材５０の正面視左端側上部と左枠部材３０とに取付けられている外枠側下ヒンジ部材７０と、を備えている。外枠２の外枠側上ヒンジ部材６０と外枠側下ヒンジ部材７０とによって、本体枠４及び扉枠３が開閉可能に取付けられている。
【００９２】
　パチンコ機１の
扉枠３は
正面視の外形が四角形で前後に貫通している貫通口１１１を有した枠状の扉枠ベースユニット１００と
扉枠ベースユニット１００の前面下部に取付けられ遊技球を貯留可能な上皿２０１及び下皿２０２を有した皿ユニット２００と
扉枠ベースユニット１００の前面左部に取付けられる左サイドユニット４００と
扉枠ベースユニット１００の前面右部に取付けられる右サイドユニット４５０と
を備え
ウ　「【０１４２】
［３．扉枠の全体構成］
　パチンコ機１の扉枠３について、図１９乃至図２５を参照して説明する。図１９はパチンコ機における扉枠の正面図であり、図２０は扉枠の背面図である。図２１は扉枠を右前から見た斜視図であり、図２２は扉枠を左前から見た斜視図であり、図２３は扉枠を後ろから見た斜視図である。図２４は扉枠を主な部材毎に分解して前から見た分解斜視図であり、図２５は扉枠を主な部材毎に分解して後ろから見た分解斜視図である。
【０１４３】
　
扉枠３は
扉枠ベースユニット１００の前面右部に取付けられる右サイドユニット４５０と
扉枠ベースユニット１００の前面右下部に
取付けられるハンドルユニット５００
を備え
　・・・略・・・
【０１４８】
　扉枠３の
左サイドユニット４００は
前面に複数のＬＥＤが取付けられた扉枠左装飾基板４４０
を備え
【０１４９】
  扉枠３の
右サイドユニット４５０は
前面に複数のＬＥＤが取付けられた扉枠右装飾基板
を備え
エ　「【０１５４】
［３−１．皿ユニットの全体構成］
　扉枠３の皿ユニット２００について、図２６乃至図４１を参照して詳細に説明する。図２６は扉枠の皿ユニットを前から見た斜視図であり、図２７は皿ユニットを後ろから見た斜視図である。図２８は皿ユニットを主な部材毎に分解して前から見た分解斜視図であり、図２９は皿ユニットを主な部材毎に分解して後ろから見た分解斜視図である。図３０（ａ）は皿ユニットの演出操作ユニットを前から見た斜視図であり、（ｂ）は演出操作ユニットを後ろから見た斜視図である。図３１は演出操作ユニットを主な部材毎に分解して上から見た斜視図であり、図３２は演出操作ユニットを主な部材毎に分解して下から見た分解斜視図である。図３３は演出操作ユニットの取付ベースユニットを分解して上から見た分解斜視図であり、図３４は取付ベースユニットを分解して下から見た分解斜視図である。
【０１５５】
　また、図３５は演出操作ユニットのタッチユニットを分解して上から見た分解斜視図であり、図３６はタッチユニットを分解して下から見た分解斜視図である。図３７は演出操作ユニットのボタンユニットを分解して上から見た分解斜視図であり、図３８はボタンユニットを分解して下から見た分解斜視図である。図３９は皿ユニットの平面図であり、図４０は図３９におけるＢ−Ｂ断面において演出操作ユニットの部位を拡大して示す断面図であり、図４１は図３９におけるＣ−Ｃ断面において演出操作ユニットの部位を拡大して示す断面図である。
【０１５６】
　更に、図４２（ａ）は皿ユニットの扉右下演出ユニットの正面図であり、（ｂ）は扉右下演出ユニットの右側面図であり、図４３（ａ）は扉右下演出ユニットを前から見た斜視図であり、（ｂ）は扉右下演出ユニットを後ろから見た斜視図である。図４４は、図４２（ｂ）の扉右下演出ユニットにおけるＤ−Ｄ断面図である。図４５は扉右下演出ユニットを分解して前から見た分解斜視図であり、図４６は扉右下演出ユニットを分解して後ろから見た分解斜視図である。図４７は扉右下演出ユニットの回転体内部ユニットを分解して前から見た分解斜視図であり、図４８は回転体内部ユニットを分解して後ろから見た分解斜視図である。図４９（ａ）は扉右下演出ユニットの扉右下回転体が前を向いた状態の正面図であり、（ｂ）は扉右下回転体が後ろを向いた状態の正面図である。
【０１５７】
　また、図５０（ａ）は皿ユニットの上皿球抜きユニットを皿ユニットベースに取付けた状態で前から見た斜視図であり、（ｂ）は上皿球抜きユニットを皿ユニットベースに取付けた状態で後ろから見た斜視図である。図５１は上皿球抜きユニットを分解して前から見た分解斜視図であり、図５２は上皿球抜きユニットを分解して後ろから見た分解斜視図である。また、図５３（ａ）は皿ユニットの下皿球抜きユニットを前から見た斜視図であり、（ｂ）下皿球抜きユニットを分解して前から見た分解斜視図である。
【０１５８】
　
皿ユニット２００は、扉枠ベースユニット１００から前方へ膨出
【０１５９】
　また、皿ユニット２００は、上皿本体２１２の前側及び皿ユニットベース２１０の前面に取付けられる演出操作ユニット２２０と、上皿本体２１２、下皿本体２１４、及び演出操作ユニットの前側及び下側を覆い皿ユニットベース２１０の前面に取付けられる皿ユニットカバー２６０と、演出操作ユニット２２０の右側に配置されており皿ユニットベース２１０の前面右部に取付けられる扉右下演出ユニット２７０と、扉右下演出ユニット２７０の前側を覆い皿ユニットベース２１０の前面に取付けられる演出ユニットカバー３００と、皿ユニットベース２１０を前後から挟むように取付けられており上皿本体２１２の上皿２０１内に貯留されている遊技球を下皿２０２へ抜き取るための上皿球抜きユニット３１０と、下皿本体２１４の下側に取付けられており下皿２０２に貯留されている遊技球を下方へ排出するための下皿球抜きユニット３２０と、を備えている。
【０１６０】
  更に、皿ユニット２００は、演出操作ユニット２２０の上面に取付けられており遊技ホールの島設備においてパチンコ機１と隣接して配置される球貸機を操作するための球貸操作ユニット３３０と、皿ユニットベース２１０の上部に取付けられており発光装飾可能な上皿トップ装飾部材３４０と、皿ユニットカバー２６０の後側で皿ユニットベース２１０の前面左側に取付けられており
前方へ向かって光を照射可能な複数のＬＥＤを備えている皿ユニット左装飾基板３４５と
前方へ向かって光を照射可能な複数のＬＥＤを備えている皿ユニット右装飾基板３４６と
を備え
オ　「【０３９９】
［５−６．周辺制御ユニット］
　次に、周辺制御ユニット１５００について、図８４及び図８６を参照して説明する。周辺制御ユニット１５００は、裏ユニット３０００の裏箱３０１０の後面に取付けられている。周辺制御ユニット１５００は、
主制御基板１３１０からの制御信号に基いて遊技者に提示する演出を制御する周辺制御基板１５１０
を備え
周辺制御基板１５１０は、発光演出
等を制御するための周辺制御部１５１１
を備え
カ　「【０６４８】
［６−３．周辺制御基板］
　周辺制御基板１５１０は、図１４２に示すように、主制御基板１３１０からのコマンドに基づいて演出制御を行う周辺制御部１５１１と、この周辺制御部１５１１からの制御データに基づいてメイン液晶表示装置１６００、サブ液晶表示装置３１１４や上皿液晶表示装置２４４の描画制御を行う液晶表示制御部１５１２と、を備えている。
【０６４９】
［６−３ａ．周辺制御部］
　
周辺制御基板１５１０における演出制御を行う周辺制御部１５１１は
周辺制御ＭＰＵ
を備え
【０６５０】
　
周辺制御ＭＰＵは、パラレルＩ／Ｏポート、シリアルＩ／Ｏポート等を複数内蔵しており、主制御基板１３１０から各種コマンドを受信すると、この各種コマンドに基づいて、遊技盤５の各装飾基板に設けられたカラーＬＥＤ等への点灯信号、点滅信号又は階調点灯信号を出力するための遊技盤側発光データをランプ駆動基板用シリアルＩ／Ｏポートから演出駆動基板３０４３に送信
する
キ　「【０６７９】
　本実施形態のパチンコ機１は、
第一始動口２００２及び第二始動口２００４に遊技球が受入れられると、
遊技者に有利な有利遊技状態
を発生させる特別抽選結果の抽選が行われ
特別抽選結果には、「ハズレ」
「
大当り」
「
大当り」
「
大当り」
がある
ク　「【０６８８】
　また、周辺制御基板１５１０では、メイン液晶表示装置１６００による特別抽選結果を示唆するための演出画像の表示の他に、
抽選された特別抽選結果に応じて
発光演出
等を行うことが可能であり
ケ　「【図２】
」
コ　「【図３】
」
サ　「【図５】
」
シ　「【図７】
」
ス　「【図８】
」
セ　「【図２２】
」
ソ　「【図１４２】
」
タ　上記図示内容ケ（図２）から、
右サイドユニット４５０は、その膨出先端部位にて、ハンドルユニット５００の延出先端部よりも前方へ膨出し
チ　上記図示内容コ（図３）から、
皿ユニット２００は、その膨出先端部位にて、右サイドユニット４５０の膨出先端部位よりも前方へ膨出している
ツ　上記図示内容ケ（図２）から、ハンドルユニット５００の延出先端部は、右サイドユニット４５０を構成する右サイド装飾部材４７０の膨出先端部位よりも前方へ膨出していないものの、回転体カバー部３０１の膨出先端部位よりは前方に膨出していることが看取できる。また、上記図示内容コ（図３）から、右サイド装飾部材４７０と皿ユニット２００及びトップ装飾部材３７０との間に二つの円弧状の部材の存在が看取できるところ、それら二つの円弧状の部材は、いずれも、左サイドユニット４００の膨出先端部位よりも前方へ延出していることが看取できる。ここで、右サイド装飾部材４７０と皿ユニット２００及びトップ装飾部材３７０との間に位置する二つの円弧状の部材として、上記図示内容サ（図５）から、回転体カバー部３０１とハンドルユニット５００とが候補として挙げられるところ、そのいずれであったとしても、
ハンドルユニット５００は、その延出先端部にて、左サイドユニット４００の膨出先端部位よりも前方へ延出し
テ　上記図示内容シ（図７）から、
扉枠３が
本体枠４に対しその前面を開閉可能とした
ト　上記イの【００９２】には、「扉枠３は、正面視の外形が四角形で前後に貫通している貫通口１１１を有した枠状の扉枠ベースユニット１００と、扉枠ベースユニット１００の前面下部に取付けられ遊技球を貯留可能な上皿２０１及び下皿２０２を有した皿ユニット２００と」「を備え」ることが記載されている。ここで、上記図示内容ス（図８）から、その扉枠ベースユニット１００が扉枠３の外形を縁取る部材であることが看取できる。そうすると、扉枠ベースユニット１００の前面下部は、扉枠３の前面下部ともいえるから、
皿ユニット２００が
扉枠３の前面下部に取付けられ遊技球を貯留可能な上皿２０１及び下皿２０２を有した
　また、上記エの【０１５８】には、「皿ユニット２００は、扉枠ベースユニット１００から前方へ膨出」することが記載されている。ここで、上記図示内容ス（図８）から、扉枠ベースユニット１００が扉枠３の外形を縁取る部材であることと、皿ユニット２００が扉枠３の前面下部から前方に膨出していることが看取できる。さらに、上記図示内容コ（図３）から、皿ユニット２００が扉枠３の左右方向中間部位から前方に膨出していることが看取できる。そうすると、
皿ユニット２００が
扉枠３の前面下部の左右方向中間部位から前方に膨出する
ナ　上記ウの【０１４３】には、「扉枠ベースユニット１００の前面右下部に」「取付けられるハンドルユニット５００」「を備え」ることが記載されている。ここで、上記図示内容ス（図８）から、その扉枠ベースユニット１００が扉枠３の外形を縁取る部材であることが看取できる。そうすると、扉枠ベースユニット１００の前面右下部は、扉枠３の前面右下部ともいえるから、
ハンドルユニット５００が
扉枠３の前面右下部に取り付けられる
　さらに、上記図示内容ケ（図２）及びサ（図５）から、
ハンドルユニット５００が
扉枠３の前面右下部から前方へ延出する
ニ　上記イの【００９２】には、「扉枠ベースユニット１００の前面左部に取付けられる左サイドユニット４００」「を備え」ることが記載されている。ここで、上記図示内容ス（図８）から、その扉枠ベースユニット１００が扉枠３の外形を縁取る部材であることが看取できる。そうすると、扉枠ベースユニット１００の前面左部は、扉枠３の前面左部ともいえるから、
左サイドユニット４００が
扉枠３の前面左部に取り付けられる
　さらに、上記図示内容サ（図５）及びセ（図２２）から、
左サイドユニット４００が
扉枠３の前面左部から前方へ膨出する
ヌ　上記イの【００９２】には、「扉枠ベースユニット１００の前面右部に取付けられる右サイドユニット４５０」「を備え」ることが記載されている。ここで、上記図示内容ス（図８）から、その扉枠ベースユニット１００が扉枠３の外形を縁取る部材であることが看取できる。そうすると、扉枠ベースユニット１００の前面右部は、扉枠３の前面右部ともいえるから、
右サイドユニット４５０が
扉枠３の前面右部に取り付けられる
　さらに、上記図示内容ケ（図２）、コ（図３）及びセ（図２２）から、
右サイドユニット４５０が
扉枠３の前面右部から前方へ膨出する
ネ　上記カの【０６４９】及び【０６５０】には、「周辺制御基板１５１０における演出制御を行う周辺制御部１５１１は」「周辺制御ＭＰＵ」「を備え」、「周辺制御ＭＰＵは、パラレルＩ／Ｏポート、シリアルＩ／Ｏポート等を複数内蔵しており、主制御基板１３１０から各種コマンドを受信すると、この各種コマンドに基づいて、遊技盤５の各装飾基板に設けられたカラーＬＥＤ等への点灯信号、点滅信号又は階調点灯信号を出力するための遊技盤側発光データをランプ駆動基板用シリアルＩ／Ｏポートから演出駆動基板３０４３に送信」「する」ことが記載されている。ここで、上記図示内容ソ（図１４２）から、周辺制御機盤１５１０から遊技盤側装飾基板に向けた矢印を看取できる。そうすると、
周辺制御機盤１５１０が、遊技盤側装飾基板を制御するための信号を送信
ノ　上記アないしネの記載内容からみて、引用文献１には、実施の形態として、次の発明（以下「引用発明」という。）が記載されている。なお、ａないしｌについては本願発明のＡないしＬに対応させて付与し、引用箇所の段落番号等を併記した。
［引用発明］
「ａ　本体枠４と（【００８９】）、
ｂ　遊技者によって遊技球が打込まれる遊技領域５ａを有した遊技盤５と（【００８９】）、
ｃ　本体枠４に対しその前面を開閉可能とした扉枠３と（【００８９】、【図７】、上記テ）、
ｄ　扉枠３の前面下部に取付けられ遊技球を貯留可能な上皿２０１及び下皿２０２を有した皿ユニット２００であって（【００９２】、【図８】、上記ト）、その前方への膨出が、扉枠３の前面下部の左右方向中間部位から前方に膨出する皿ユニット２００と（【０１５８】、【図３】、【図８】、上記ト）、
ｅ　扉枠３の前面右下部に取り付けられるハンドルユニット５００であって（【０１４３】、【図８】、上記ナ）、その前面右下部から前方へ延出するハンドルユニット５００と（【図２】、【図５】、上記ナ）、
ｆ　扉枠３の前面左部に取り付けられる左サイドユニット４００であって（【００９２】、【図８】、上記ニ）、その前面左部から前方へ膨出し（【図５】、【図２２】、上記ニ）、前面に複数のＬＥＤが取り付けられた扉枠左装飾基板４４０を備えた左サイドユニット４００と（【０１４８】）、
ｇ　扉枠３の前面右部に取付けられる右サイドユニット４５０であって（【００９２】、【図８】、上記ヌ）、その前面右部から前方へ膨出し（【図２】、【図３】、【図２２】上記ヌ）、前面に複数のＬＥＤが取り付けられた扉枠右装飾基板を備えた右サイドユニット４５０と（【０１４９】）、
ｈ　前方へ向かって光を照射可能な複数のＬＥＤを備えている皿ユニット左装飾基板３４５と皿ユニット右装飾基板３４６と（【０１６０】）を備え、
ｉ、ｊ　第一始動口２００２及び第二始動口２００４に遊技球が受け入れられると、遊技者に有利な有利遊技状態を発生させる特別抽選結果の抽選が行われ、その特別抽選結果には、「ハズレ」や「大当り」があり（【０６７９】）、抽選された特別抽選結果に応じて、発光演出等を行うことが可能であり（【０６８８】）、
ｋ、ｋ−１、ｋ−２　主制御基板１３１０からの制御信号に基いて遊技者に提示する演出を制御する周辺制御基板１５１０を備え、周辺制御基板１５１０は、発光演出等を制御するための周辺制御部１５１１を備え（【０３９９】）、さらに、周辺制御基板１５１０は、遊技盤側装飾基板を制御するための信号を送信し（【図１４２】、上記ネ）、
ｅ−１　ハンドルユニット５００は、その延出先端部にて、左サイドユニット４００の膨出先端部位よりも前方へ延出し（【図２】、【図３】、【図５】、上記ツ）、
ｇ−１　右サイドユニット４５０は、その膨出先端部位にて、ハンドルユニット５００の延出先端部よりも前方へ膨出し（【図２】、上記タ）、
ｄ−１　皿ユニット２００は、その膨出先端部位にて、右サイドユニット４５０の膨出先端部位よりも前方へ膨出している（【図３】、上記チ）、
ｌ　パチンコ機１（【００８８】）。」
（２）引用文献２の記載
　当審拒絶理由に引用され、本願の出願前に電気通信回線を通じて公衆に利用可能となった特許第５９５７５８５号（以下、同じく「引用文献２」という。）には、「遊技機」の発明に関し、図面と共に次の事項が記載されている（下線は当審で付した）。 
ア　「【技術分野】
【０００１】
　本発明は、
パチンコ遊技機
　・・・略・・・
【００５１】
　枠ランプＷは、当該パチンコ遊技機における遊技中に大当たりになったとき、レインボウ演出態様にて大当たり演出を行う。また、当該枠ランプＷは、当該パチンコ遊技機における客待ちモードの際に上記レインボウ演出態様に類似する演出態様にて客待ちモード演出行う。
　・・・略・・・
【０２７１】
　しかして、ステップ２１４１における
外れ遊技表示演出処理が終了すると
客待ちコマンドありか否かが判定され
【０２７２】
　一方、
客待ちコマンドが
出力されていれば
判定はＹＥＳとな
所定の客待ち時間の経過か否かが判定される
【０２７３】
　現段階では、上記所定の客待ち時間は未だ経過していないことから、当該ステップ２１６０における判定はＮＯとなる。
【０２７４】
　両ステップ２１５０、２１６０の循環処理中において、客待ちコマンドが主制御装置３００からシステム制御部５００ｂに出力されれば、ステップ２１５０における判定はＹＥＳとなる。
【０２７５】
　しかして、上記
所定の客待ち時間の経過に基づき
ＹＥＳと判定されると
客待ちモード表示演出処理がなされ
【０２７６】
　
ついで
客待ちモード表示演出終了か否かが判定される
【０２７７】
　以後、両ステップ２１６２、２１７０を循環する処理中において、
客待ちモード表示演出が終了すると
ＹＥＳと判定され
【０２７８】
　上述のようにステップ２１７０における判定がＹＥＳになると、次のステップ２１８０において、
遊技開始か否かにつき判定される
【０２７９】
　当該遊技球の発射が、上記球発射装置に設けた発射センサ（図示しない）により検出されると、当該検出結果が、遊技開始を表す遊技開始信号としての役割を果たし、ステップ２１８０においてＹＥＳと判定される。
【０２８０】
　一方、上述のような
発射センサによる検出がなく
ＮＯと判定される場合には、所定の客待ち時間の経過後客待ちモード表示演出終了にもかかわらず、新たな客がなく遊技開始にならないことから
ＮＯと判定され
【０２８１】
　
これに伴い
客待ちモード光演出処理がなされる
【０２８２】
　
この客待ちモード光演出処理においては
大当たりが成立したときに当該大当たりを光による表す光演出態様に類似する客寄せ光演出態様でもって、光演出を行う
【０２８３】
　これにより、
当該新たな客が、当該パチンコ遊技機が既に大当たりの成立により多くの遊技球を獲得されているかのように錯覚を起こすことで、当該新たな客を当該パチンコ遊技機による遊技に誘導することができる
イ　上記アの【０２７１】及び【０２７２】には、「外れ遊技表示演出処理が終了すると」「客待ちコマンドありか否かが判定され」、「客待ちコマンドが」「出力されていれば」「判定はＹＥＳとな」り、「所定の客待ち時間の経過か否かが判定される」ことが記載されており、
　上記アの【０２７５】及び【０２７６】には、「所定の客待ち時間の経過に基づき」「ＹＥＳと判定されると」「客待ちモード表示演出処理がなされ」、「ついで」「客待ちモード表示演出終了か否かが判定される」ことが記載されており、
　上記アの【０２７７】及び【０２７８】には、「客待ちモード表示演出が終了すると」「ＹＥＳと判定され」「遊技開始か否かにつき判定される」ことが記載されており、
　上記アの【０２８０】及び【０２８１】には、「発射センサによる検出がなく」「ＮＯと判定される場合には、所定の客待ち時間の経過後客待ちモード表示演出終了にもかかわらず、新たな客がなく遊技開始にならないことから」「ＮＯと判定され」、「これに伴い」「客待ちモード光演出処理がなされる」ことが記載されている。
　そうすると、「外れ遊技表示演出処理が終了」した後に、「客待ちモード光演出処理がなされる」条件として、「所定の客待ち時間の経過」を含むことになるから、
外れ遊技表示演出処理が終了すると、所定の客待ち時間の経過に基づき、客待ちモード光演出処理がなされ
ウ　上記ア及びイの記載内容からみて、引用文献２には、以下の技術事項（以下、「引用文献２記載事項」という。）が記載されていると認められる。
［引用文献２記載事項］
「パチンコ遊技機において（【０００１】）、外れ遊技表示演出処理が終了すると、所定の客待ち時間の経過に基づき、客待ちモード光演出処理がなされ（【０２７１】、【０２８０】、【０２８１】、上記イ）、この客待ちモード光演出処理においては、大当たりが成立したときに当該大当たりを光による表す光演出態様に類似する客寄せ光演出態様でもって、客待ちモード光演出を行い（【０２８２】）、これにより、新たな客が、当該パチンコ遊技機が既に大当たりの成立により多くの遊技球を獲得されているかのように錯覚を起こすことで、当該新たな客を当該パチンコ遊技機による遊技に誘導することができる（【０２８３】）こと。」
５　対比
（１）本願発明と引用発明を対比する。なお、以下の見出し（ａ）ないし（ｌ）は、本願発明のＡないしＬに対応させている。
（ａ）引用発明の「本体枠４」は、本願発明の「本体枠」に相当するといえる。
　したがって、引用発明の構成ａは、本願発明の構成Ａに相当する。
（ｂ）引用発明の「遊技領域５ａ」は、本願発明の「遊技領域」に相当するといえる。そして、引用発明の「遊技球」は、「遊技者によって」「遊技領域」に「打ち込まれる」ものであるところ、「遊技者」の操作により「打込まれる」ものであることは明らかであるから、本願発明の「遊技媒体」に相当するといえる。そうすると、引用発明の「遊技盤５」は、遊技者の操作により打ち込まれる遊技球（「遊技媒体」）を進入させる遊技領域５ａ（「遊技領域」）を設けてなるものといえるから、本願発明の「遊技盤」に相当する。
　したがって、引用発明の構成ｂは、本願発明の構成Ｂに相当する。
（ｃ）上記（ａ）で示したように、引用発明の「本体枠４」は、本願発明の「本体枠」に相当する。そして、引用発明の「扉枠３」は、本体枠４（「本体枠」）に対しその前面を開閉可能としたものであるから、本願発明の「前扉」に相当するといえる。
　したがって、引用発明の構成ｃは、本願発明の構成Ｃに相当する。
（ｄ）上記（ｂ）ないし（ｃ）で示したように、引用発明の「遊技球」、「扉枠３」は、それぞれ、本願発明の「遊技媒体」、「前扉」に相当する。そして、引用発明の「皿ユニット２００」は、遊技球（「遊技媒体」）を貯留可能なものであって、かつ、扉枠３（「前扉」）の前面下部の左右方向中間部位から前方に膨出するものであるから、本願発明の「皿部材」に相当するといえる。
　したがって、引用発明の構成ｄは、本願発明の構成Ｄに相当する。
（ｅ）上記（ｃ）で示したように、引用発明の「扉枠３」は、本願発明の「前扉」に相当する。そして、引用発明の「ハンドルユニット５００」は、扉枠３（「前扉」）の前面右下部に取り付けられ、その前面右下部から前方へ延出するものであるから、本願発明の「ハンドル部材」に相当する。
　したがって、引用発明の構成ｅは、本願発明の構成Ｅに相当する。
（ｆ）上記（ｃ）で示したように、引用発明の「扉枠３」は、本願発明の「前扉」に相当する。ここで、引用発明の「左サイドユニット４００」は、扉枠３（「前扉」）の前面左部に取り付けられ、かつ、その前面左部から前方へ膨出するものであるから、本願発明の「前記前扉の左側部に前方へ膨出するように設けてなる左側・・・部材」を具備しているといえる。
　さらに、引用発明の「左サイドユニット４００」は、前面に「複数のＬＥＤが取り付けられた扉枠左装飾基板４４０」を備えたものであるところ、その「複数のＬＥＤ」が本願発明の「電飾部材」に相当するといえるから、本願発明の「左側電飾部材」に相当する。
　したがって、引用発明の構成ｆは、本願発明の構成Ｆに相当する。
（ｇ）上記（ｃ）で示したように、引用発明の「扉枠３」は、本願発明の「前扉」に相当する。ここで、引用発明の「右サイドユニット４５０」は、扉枠３（「前扉」）の前面右部に取り付けられ、かつ、その前面右部から前方へ膨出するものであるから、本願発明の「前記前扉の右側部に前方へ膨出するように設けてなる右側・・・部材」を具備しているといえる。
　さらに、引用発明の「右サイドユニット４００」は、前面に「複数のＬＥＤが取り付けられた扉枠右装飾基板」を備えたものであるところ、その「複数のＬＥＤ」が本願発明の「電飾部材」に相当するといえるから、本願発明の「右側電飾部材」に相当する。
　したがって、引用発明の構成ｇは、本願発明の構成Ｇに相当する。
（ｈ）上記（ｄ）で示したように、引用発明の「皿ユニット２００」は、本願発明の「皿部材」に相当する。そして、引用発明の「皿ユニット左装飾基板３４５と皿ユニット右装飾基板３４６」は、皿ユニット２００（「皿部材」）を複数のＬＥＤにより装飾するものであるところ、その「複数のＬＥＤ」が本願発明の「電飾手段」に相当するといえるから、本願発明の「皿電飾手段」に相当する。
　したがって、引用発明の構成ｈは、本願発明の構成Ｈに相当する。
（ｉ）上記（ｂ）で示したように、引用発明の「遊技球」は、本願発明の「遊技媒体」に相当する。また、引用発明の「遊技者に有利な有利遊技状態を発生させる特別抽選結果の抽選」は、本願発明の「大当たり抽選」に相当するといえる。
　ここで、引用発明における「第一始動口２００２及び第二始動口２００４に遊技球が受け入れられると」「遊技者に有利な有利遊技状態を発生させる特別抽選結果の抽選が行われ」ることは、遊技球（「遊技媒体」）の入賞に伴って遊技者に有利な有利遊技状態を発生させる特別抽選結果の抽選（「大当たり抽選」）を行うことといえるから、本願発明の「遊技媒体の入賞に伴い大当たり抽選」を行うことに相当する。そして、その「特別抽選結果」は、本願発明の「大当たり抽選の結果」に相当するといえる。
　さらに、引用発明において、その特別抽選結果には、「ハズレ」や「大当り」があり、抽選された特別抽選結果に応じて、発光演出等を行うことが可能であるところ、特別抽選結果が「大当り」であるときには、その「大当り」に応じた「発光演出」を実施可能であることは明らかである。そうすると、その「大当り」に応じた「発光演出」は、本願発明の「大当たり電飾態様を表す大当たり電飾演出」に相当するといえる。
　したがって、引用発明は、本願発明の「大当たり電飾演出処理手段」を具備するといえるから、引用発明の構成ｉは、本願発明の構成Ｉを具備する。
（ｊ）上記（ｉ）で示したように、引用発明の「特別抽選結果」は、本願発明の「大当たり抽選の結果」に相当する。
　ここで、引用発明において、その特別抽選結果には、「ハズレ」や「大当り」があり、抽選された特別抽選結果に応じて、発光演出等を行うことが可能であるところ、特別抽選結果が「ハズレ」であるときに、その「ハズレ」に応じた「発光演出等」を実施可能であることは明らかである。そうすると、その「ハズレ」に応じた「発光演出等」は、本願発明の「前記大当たり抽選の結果が外れであるとき行われる外れ演出」に相当し、さらに、その「ハズレ」に応じた「発光演出等」に関する処理は、本願発明の「外れ演出処理」に相当するといえる。
　したがって、引用発明の構成ｊと、本願発明の構成Ｊとは、「Ｊ’前記大当たり抽選の結果が外れであるとき行われる外れ演出処理を行う手段と」の点で共通する。
（ｋ）引用発明の「周辺制御基板１５１０」は、本願発明の「制御手段」に相当するといえる。
　したがって、引用発明の構成ｋ、ｋ−１、ｋ−２は、本願発明の構成Ｋを具備する。
（ｅ−１）上記（ｅ）及び（ｆ）で示したように、引用発明の「ハンドルユニット５００」、「左サイドユニット４００」は、それぞれ、本願発明の「ハンドル部材」、「左側電飾部材」に相当する。
　ここで、引用発明は、ハンドルユニット５００（「ハンドル部材」）が、その延出先端部にて、左サイドユニット４００（「左側電飾部材」）の膨出先端部位よりも前方へ延出するものであるから、本願発明の「前記ハンドル部材は、その延出先端部にて、前記左側電飾部材の膨出先端部位よりも前方へ延出し」を具備するといえる。
　したがって、引用発明の構成ｅ−１は、本願発明の構成Ｅ−１を具備する。
（ｇ−１）上記（ｅ）及び（ｇ）で示したように、引用発明の「ハンドルユニット５００」、「右サイドユニット４５０」は、それぞれ、本願発明の「ハンドル部材」、「右側電飾部材」に相当する。
　ここで、引用発明は、右サイドユニット４５０（「右側電飾部材」）が、その膨出先端部位にて、ハンドルユニット５００（「ハンドル部材」）の延出先端部よりも前方へ膨出するものであるから、本願発明の「右サイドユニット４５０は、その膨出先端部位にて、ハンドルユニット５００の延出先端部よりも前方へ膨出し」を具備するといえる。
　したがって、引用発明の構成ｇ−１は、本願発明の構成Ｇ−１を具備する。
（ｄ−１）上記（ｄ）及び（ｇ）で示したように、引用発明の「皿ユニット２００」、「右サイドユニット４５０」は、それぞれ、本願発明の「皿部材」、「右側電飾部材」に相当する。
　ここで、引用発明は、皿ユニット２００（「皿部材」）が、その膨出先端部位にて、右サイドユニット４５０（「右側電飾部材」）の膨出先端部位よりも前方へ膨出するものであるから、本願発明の「前記皿部材は、その膨出先端部位にて、前記右側電飾部材の膨出先端部位よりも前方へ膨出しており」を具備するといえる。
　したがって、引用発明の構成ｄ−１は、本願発明の構成Ｄ−１を具備する。
（ｋ−１）上記（ｉ）及び（ｋ）で示したように、引用発明の「大当り」に応じた「発光演出」、「周辺制御基板１５１０」は、それぞれ、本願発明の「大当たり電飾態様を表す大当たり電飾演出」、「制御手段」に相当する。また、上記（ｉ）で示したように、引用発明は、本願発明の「大当たり電飾演出処理手段」を具備する。
　ここで、引用発明の「周辺制御基板１５１０」は、発光演出等を制御するための周辺制御部１５１１を備えることから、発光演出等を制御するものといえるところ、その発光演出等には「大当り」に応じた「発光演出」が含まれることは明らかであるから、「大当り」に応じた「発光演出」を制御するものともいえる。そうすると、引用発明は、「前記制御手段は、前記大当たり電飾演出処理手段による前記大当たり電飾演出の処理に基づき、前記大当たり電飾演出を行う」ことを具備するといえる。
　また、上記（ｆ）ないし（ｈ）で示したように、引用発明の「左サイドユニット４００」、「右サイドユニット４５０」、「皿ユニット左装飾基板３４５及び皿ユニット右装飾基板３４６」は、それぞれ、本願発明の「左側電飾部材」、「右側電飾部材」、「皿電飾手段」に相当する。
　ここで、引用発明において、周辺制御基板１５１０は、遊技盤側装飾基板を制御するための信号を送信するものであるところ、その遊技盤側装飾基板には、左サイドユニット４００（「左側電飾部材」）の扉枠左装飾基板４４０、右サイドユニット４５０（「右側電飾部材」）の扉枠右装飾基板、皿ユニット左装飾基板３４５及び皿ユニット右装飾基板３４６（「皿電飾手段」）が含まれることは明らかであるから、引用発明は、本願発明の「前記制御手段は、」「前記左側電飾部材、前記右側電飾部材及び前記皿電飾手段を」「制御し」を具備するといえる。
　したがって、引用発明の構成ｋ、ｋ−１、ｋ−２と、本願発明の構成Ｋ−１とは、「Ｋ−１’前記制御手段は、前記大当たり電飾演出処理手段による前記大当たり電飾演出の処理に基づき、前記大当たり電飾演出を行い、前記左側電飾部材、前記右側電飾部材及び前記皿電飾手段を制御」する点で共通する。
（ｌ）引用発明の「パチンコ機１」は、本願発明の「遊技機」に相当する。
　したがって、引用発明の構成ｌは、本願発明の構成Ｌに相当する。
（２）上記（１）によれば、本願発明と引用発明とは、
「Ａ　本体枠と、
　Ｂ　遊技者の操作により打ち込まれる遊技媒体を進入させる遊技領域を設けてなる遊技盤と、
　Ｃ　前記本体枠に対しその前側にて開閉可能となっている前扉と、
　Ｄ　遊技媒体を貯留し得るように前記前扉の下部の左右方向中間部位から前方に膨出する皿部材と、
　Ｅ　前記前扉の前記下部の右側部位から前方へ延出するハンドル部材と、
　Ｆ　前記前扉の左側部に前方へ膨出するように設けてなる左側電飾部材と、
　Ｇ　前記前扉の右側部に前方へ膨出するように設けてなる右側電飾部材と、
　Ｈ　前記皿部材を電飾により装飾する皿電飾手段と、
　Ｉ　遊技媒体の入賞に伴い大当たり抽選の結果が大当たりであるとき、大当たり電飾態様を表す大当たり電飾演出を行うように処理する大当たり電飾演出処理手段と、
　Ｊ’前記大当たり抽選の結果が外れであるとき行われる外れ演出処理を行う手段と、
　Ｋ　制御手段とを備えており、
　Ｅ−１　前記ハンドル部材は、その延出先端部にて、前記左側電飾部材の膨出先端部位よりも前方へ延出し、
　Ｇ−１　前記右側電飾部材は、その膨出先端部位にて、前記ハンドル部材の延出先端部よりも前方へ膨出し、かつ、
　Ｄ−１　前記皿部材は、その膨出先端部位にて、前記右側電飾部材
の膨出先端部位よりも前方へ膨出しており、
　Ｋ−１’前記制御手段は、
　前記大当たり電飾演出処理手段による前記大当たり電飾演出の処理に基づき、前記大当たり電飾演出を行い、前記左側電飾部材、前記右側電飾部材及び前記皿電飾手段を制御する、
　Ｌ　パチンコ機１。」である点で一致し、以下の点で相違する。
［相違点１］（構成Ｋ−１）
　「大当たり電飾演出」に関し、
　本願発明では、「前記制御手段は、前記大当たり電飾演出処理手段による前記大当たり電飾演出の処理に基づき、前記大当たり電飾演出を行うように前記左側電飾部材、前記右側電飾部材及び前記皿電飾手段のうちの少なくとも１つを制御」するのに対し、
　引用発明では、周辺制御基板１５１０（「制御手段」）は、抽選された特別抽選結果に応じて、発光演出等を行うことが可能であって、その特別抽選結果には「大当り」があることや、左サイドユニット４００（「左側電飾部材」）、右サイドユニット４５０（「右側電飾部材」）並びに皿ユニット左装飾基板３４５及び皿ユニット右装飾基板３４６（「皿電飾手段」）を制御することは特定されているものの、大当りに応じた発光演出を行うように、左サイドユニット４００（「左側電飾部材」）、右サイドユニット４５０（「右側電飾部材」）並びに皿ユニット左装飾基板３４５及び皿ユニット右装飾基板３４６（「皿電飾手段」）を制御することが特定されていない点。
［相違点２］（構成Ｊ、Ｋ−２）
　本願発明では、「前記大当たり抽選の結果が外れであるとき行われる外れ演出処理の終了後、所定の客待ち時間の経過に伴い客待ちモード電飾演出を行うように処理する客待ちモード電飾演出処理手段」を備え、「前記制御手段は、」「前記客待ちモード電飾演出処理手段による前記客待ちモード電飾演出の処理に基づき、既に大当たりが成立しているかのように錯覚を起こす程に前記大当たり電飾態様における大当たり点滅態様に類似した点滅態様による電飾演出を、新たな客の誘導が可能となるように、行うべく、前記左側電飾部材、前記右側電飾部材及び前記皿電飾手段のうちの少なくとも１つを制御するようにした」するのに対し、
　引用発明では、ハズレに応じた発光演出等（「前記大当たり抽選の結果が外れであるとき行われる外れ演出」）を実施可能ではあるものの、そのハズレに応じた発光演出等の終了後に、本願発明のような「客待ちモード電飾演出」を行うか否かについて特定がない点。
６　相違点の検討
（１）上記相違点１について検討する。
ア　引用発明において、抽選された特別抽選結果に応じて、発光演出等を行うことが可能であって、その特別抽選結果には「大当り」があることを鑑みれば、特別抽選結果が「大当り」であるときには、その「大当り」に応じた発光演出を実施可能であることは明らかである。
　そして、引用発明において、その「大当り」に応じた発光演出を行う際に、周辺制御基板１５１０（「制御手段」）により、パチンコ機１（「遊技機」）中のいずれかの発光手段が発光制御されることになるところ、その発光手段として、左サイドユニット４００（「左側電飾部材」）、右サイドユニット４５０（「右側電飾部材」）、皿ユニット左装飾基板３４５及び皿ユニット右装飾基板３４６（「皿電飾手段」）に取り付けられた複数のＬＥＤを選択することは、効果的な発光演出を行うために、当業者が適宜なし得たことであって、格別な困難性は認められない。
イ　したがって、引用発明において、上記相違点１に係る本願発明の構成とすることは、当業者が適宜なし得たものである。
（２）上記相違点２について検討する。
ア　パチンコ機において、外れ抽選処理が終了した後の客待ち時間中に新たな客を誘導したいという課題は、文献を示すまでもなく、当業者にとって周知の課題であるから、引用発明においても当該課題を解決しようとすることは当業者が当然取り組むべきことである。
イ　そして、引用発明と引用文献２記載事項とは、いずれも、パチンコ機において、大当りに関係して発光演出を行う点で共通するとともに、上記アで示したように、外れ抽選処理が終了した後の客待ち時間中に新たな客を誘導したいという課題の点でも共通するといえる。
ウ　そうすると、引用発明において、ハズレに応じた発光演出等（「前記大当たり抽選の結果が外れであるとき行われる外れ演出」）が終了した後の客待ち時間中に新たな客を誘導するために、引用文献２記載事項を適用して、所定の客待ち時間の経過に基づき、客待ちモード光演出処理がなされ、この客待ちモード光演出処理においては、大当りに応じた発光演出の光演出態様に類似する客寄せ光演出態様でもって、客待ちモード光演出を行うように構成することは、当業者にとって容易である。
　ここで、その客待ちモード光演出が、既に大当たりの成立により多くの遊技球を獲得されているかのように錯覚を起こす程のものであることは、引用文献２記載事項から明らかである。
　そして、その際に、上記（１）アで検討したように、左サイドユニット４００（「左側電飾部材」）、右サイドユニット４５０（「右側電飾部材」）、皿ユニット左装飾基板３４５及び皿ユニット右装飾基板３４６（「皿電飾手段」）を制御して、それらに取り付けられた複数のＬＥＤを発光させることに格別な困難性は認められない。
エ　したがって、引用発明において、引用文献２記載事項や周知技術を適用して、上記相違点２に係る本願発明の構成とすることは、当業者が適宜なし得たものである。
（３）以上のとおり、上記（１）及び（２）で示したように、本願発明は、引用発明と引用文献２記載事項及び周知技術とに基づいて、当業者が容易に想到し得るものである。
７　請求人の主張について 
（１）審判請求人は、令和１年８月８日付け意見書において、概略以下のとおり主張している。
「１．請求項１（旧請求項１）について
　・・・略・・・
　Ｂ．そこで、引用文献１、２を考慮して、上述のごとく、本願の旧請求項１を、別紙手続補正書にて、限定補正して新請求項１とした。
　・・・略・・・
（１）このように構成してなる新請求項１に記載の発明を上記ご指摘事項にいう引用文献１、２と対比検討してみる。
　・・・略・・・
　新請求項１に記載の発明によれば、上述のごとく、制御手段が、前記客待ちモード電飾演出処理手段による前記客待ちモード電飾演出の処理に基づき、既に大当たりが成立しているかのように錯覚を起こす程に前記大当たり電飾態様における大当たり点滅態様に類似した点滅態様による電飾演出を、新たな客の誘導が可能となるように、行うべく、前記左側電飾部材、前記右側電飾部材及び前記皿電飾手段のうちの少なくとも１つを制御する。
　換言すれば、制御手段が前記客待ちモード電飾演出処理手段による前記客待ちモード電飾演出の処理に基づき行う電飾演出は、「既に大当たりが成立しているかのように錯覚を起こす程に前記大当たり電飾態様における大当たり点滅態様に類似した点滅態様による電飾演出」であって、「新たな客の誘導が可能となるように」行う電飾演出である。
　これによれば、前記客待ちモード電飾演出の処理に基づき行う電飾演出は、単なる電飾ではなく、大当たりの成立の際に生ずる点滅という電飾態様に類似する点滅電飾であって、しかも、既に大当たりが成立しているかのように錯覚を起こす程に大当たり点滅態様に類似する点滅電飾である。
　このような「既に大当たりが成立しているかのように錯覚を起こす程に大当たり点滅態様に類似する点滅電飾」が、客待ちモード電飾演出の処理に基づきなされることにより、新たな遊技者は、パチンコ遊技機が既に大当たりの成立により多くの遊技球を獲得しているかのように錯覚を十分に起こし、当該パチンコ遊技機による遊技に誘導されていくという新請求項１に記載の発明に特有の作用効果が達成され得る。
　これに対し、上記ご指摘事項にあるように、引用文献２には、パチンコ遊技機において、「外れ遊技表示演出処理が終了すると」、「所定の客待ち時間の経過」に基づき、「客待ちモード光演出処理がなされ」、「この客待ちモード光演出処理においては、大当たりが成立したときに当該大当たりを光により表す光演出態様に類似する客寄せ光演出態様でもって、客待ちモード光演出を行う」ように構成することと、「これにより、新たな客が、当該パチンコ遊技機が既に大当たりの成立により多くの遊技球を獲得されているかのように錯覚を起こすことで、当該新たな客を当該パチンコ遊技機による遊技に誘導することができる」ことが記載されている。
　この点について詳細に検討してみると、引用文献２にいう「客寄せ光演出態様」は、大当たりが成立したときに当該大当たりを光により表す光演出態様に類似するものにすぎない。つまり、「光演出態様」ということだけであって、どのような光の態様による演出なのかは全く不明である。例えば、大当たりの際の光が、大当たりでない場合の光よりも、輝度の高い光といった派手目の光であったとしても、このような光の態様では、新たな客が、当該パチンコ遊技機が既に大当たりの成立により多くの遊技球を獲得されているかのように錯覚を起こすには、新請求項１に記載の発明とは異なり、不十分と言わざるを得ない。
　以上によれば、上述のような新請求項１に記載の発明の構成及びその特有の作用効果は、引用文献１、２のいずれにも記載も示唆もなされておらず、また、引用文献１に引用文献２を寄せ集めてみても、当業者が新請求項１に記載の発明に容易に想到し得るとは言えないものと思料する。」
（２）しかしながら、上記６の（２）アで示したように、引用発明に引用文献２記載事項を適用した際に行われる客待ちモード光演出が、既に大当たりの成立により多くの遊技球を獲得されているかのように錯覚を起こす程のものであることは、引用文献２記載事項から明らかである。
（３）したがって、上記（２）で示したように、令和１年８月８日付け意見書における審判請求人の主張は、いずれも理由がない。
８　むすび
　以上のとおりであるから、本願発明は、特許法第２９条第２項の規定により特許を受けることができないから、他の請求項に係る発明について検討するまでもなく、本願は拒絶されるべきものである。
　よって、結論のとおり審決する。